(57)【特許請求の範囲】
【請求項１】
エレベータの制御装置に設けられ前記エレベータの制御信号を無線通信で送受信可能な制御信号通信部と無線通信する指令信号通信部を備えたエレベータの保守運転装置において、
前記エレベータの前記制御装置の前記制御信号通信部は、前記指令信号通信部から送信された接続開始信号に対し接続応答信号を送信するものから成り、
当該保守運転装置は、前記指令信号通信部とともに、処理部と、表示部と、操作部とを有し、
前記表示部は、前記指令信号通信部が受信した前記接続応答信号を送信した前記エレベータを表示するものから成り、
前記操作部は、前記表示部に表示された前記エレベータのうちのいずれかを選択し、選択した前記エレベータの乗かごを指定した階床に到着させる到着階床設定処理を行うものから成り、
前記処理部は、前記指令信号通信部に、前記操作部で選択した前記エレベータの前記制御装置の前記制御信号通信部に対して、前記操作部で設定した到着階床に相応する到着階床設定信号を送信させる処理を行わせるとともに、前記操作部で選択した前記エレベータの前記乗かごが前記操作部で設定した前記到着階床に到着後、保守運転に設定されたことを検出し、前記指令信号通信部に、前記エレベータの前記制御装置の前記制御信号通信部に対して、保守運転走行指令を送信させる処理を行うものから成ることを特徴とするエレベータの保守運転装置。
【発明の詳細な説明】
【技術分野】
【０００１】
本発明は、エレベータの保守点検作業に際して用いられるエレベータの保守運転装置に関する。
【背景技術】
【０００２】
エレベータの保守運転操作を行う保守用携帯端末とエレベータを有線で接続する場合は、物理的に接続されたエレベータ号機とのみ通信が可能で、かつ目視によっても接続中であることが確認できるため、操作するエレベータ号機を誤ることは無く、例えば通常運転中の他のエレベータ号機に対して保守運転操作を行うなどの問題は発生しない。しかし、エレベータと保守用携帯端末を無線で接続する場合は、通信可能範囲にある全てのエレベータ号機と接続できることになるため、操作するエレベータ号機を誤る虞がある。
【０００３】
これを解決する手段として、特許文献１，２が提案されている。特許文献１に記載された従来技術は、携帯端末によって入力された各エレベータ号機を特定するための特定データがエレベータの固有情報記憶部に予め記憶されている固有情報データと一致し、かつ呼び釦が操作されることで特定されるエレベータの特定条件が満たされた場合のみ、携帯端末からの通信による司令によって動作を可能にすることで、隣接するエレベータ号機を誤操作させることなく保守運転を実行させるようにしたものである。
【０００４】
特許文献２に記載された従来技術は、ＰＣ（パソコン）などの保守ツールを制御盤に有線接続し、乗場にて携帯端末と暗号鍵の共有により無線通信可能とし、携帯端末の入力操作によって呼び出したいエレベータ号機と階床を指定して呼び出し、保守動作指令を行い、保守運転を実行させるようにしたものである。
【先行技術文献】
【特許文献】
【０００５】
【特許文献１】特開２００５−２９８１２２号公報
【特許文献２】特許第５３３２８０５号公報
【発明の概要】
【発明が解決しようとする課題】
【０００６】
特許文献１に記載された従来技術は、エレベータの呼び操作を伴うが、誤動作を防止するために通常のエレベータ操作と異なる操作であることが望ましく、エレベータと保守用携帯端末との接続のためだけに特定操作を行うことを保守作業者に強いることになる。特許文献２に記載された従来技術は、保守用携帯端末とは別のＰＣなどの保守ツールを予めエレベータの制御盤に有線接続しておく必要があり、常に保守用携帯端末とは別にＰＣなどの保守ツールを持参する必要がある。また機械室の無いエレベータでは、保守ツールの設置自体が困難となる。
【０００７】
本発明は、前述した従来技術における実情からなされたもので、その目的は、保守作業者に特別な操作や装置の持参を要求することなく、操作するエレベータ号機を無線接続することができるエレベータの保守運転装置を提供することにある。
【課題を解決するための手段】
【０００８】
前記目的を達成するために、本発明に係るエレベータの保守運転装置は、エレベータの制御装置に設けられ前記エレベータの制御信号を無線通信で送受信可能な制御信号通信部と無線通信する指令信号通信部を備えたエレベータの保守運転装置において、前記エレベータの前記制御装置の前記制御信号通信部は、前記指令信号通信部から送信された接続開始信号に対し接続応答信号を送信するものから成り、当該保守運転装置は、前記指令信号通信部とともに、処理部と、表示部と、操作部とを有し、前記表示部は、前記指令信号通信部が受信した前記接続応答信号を送信した前記エレベータを表示するものから成り、前記操作部は、前記表示部に表示された前記エレベータのうちのいずれかを選択し、選択した前記エレベータの乗かごを指定した階床に到着させる到着階床設定処理を行うものから成り、前記処理部は、前記指令信号通信部に、前記操作部で選択した前記エレベータの前記制御装置の前記制御信号通信部に対して、前記操作部で設定した到着階床に相応する到着階床設定信号を送信させる処理を行わせるとともに、前記操作部で選択した前記エレベータの前記乗かごが前記操作部で設定した前記到着階床に到着後、保守運転に設定されたことを検出し、前記指令信号通信部に、前記エレベータの前記制御装置の前記制御信号通信部に対して、保守運転走行指令を送信させる処理を行うものから成ることを特徴としている。
【発明の効果】
【０００９】
本発明に係るエレベータの保守運転装置は、保守作業者に特別な操作や装置の持参を要求することなく、操作するエレベータ号機を無線接続することができ、エレベータの保守点検作業の能率を従来よりも向上させることができる。
【図面の簡単な説明】
【００１０】
【図１】本発明に係るエレベータの保守運転装置の一実施形態を含むシステム構成図である。
【図２】本実施形態における処理操作を含む図１に示すシステムの処理操作を示すフローチャートである。
【発明を実施するための形態】
【００１１】
以下、本発明に係るエレベータの保守運転装置の実施の形態を図面に基づいて説明する。
【００１２】
図１は、本発明に係るエレベータの保守運転装置の一実施形態を含むシステム構成図である。なお、この図１においては、例えば本実施形態に係る保守運転装置４が通信可能な範囲に、エレベータが２台設置されている例を示してある。
【００１３】
図１に示すように、２台のエレベータ（図示せず）のそれぞれの制御装置１ａ，１ｂは、無線通信でエレベータの制御信号を送受信可能な制御信号通信部２ａ，２ｂを備えている。また、これらの制御装置１ａ，１ｂは、エレベータの運転制御を行う運転制御部３ａ，３ｂを備えている。各エレベータの乗かご（図示せず）は、エレベータを通常運転モードと保守運転モードとを切り替える保守運転スイッチ（図示せず）を備えている。
【００１４】
保守運転作業者が保守点検作業に際して用いる携帯端末、すなわち本実施形態に係る保守運転装置４は、エレベータの制御装置１ａ，１ｂのそれぞれに設けられた制御信号通信部２ａ，２ｂと無線通信する指令信号通信部５を備えている。前述したエレベータの制御装置１ａ，１ｂの制御信号通信部２ａ，２ｂは、保守運転装置４の指令信号通信部５から送信された接続開始信号に対し接続応答信号を送信するものから成っている。
【００１５】
本実施形態に係る保守運転装置４は、前述した指令信号通信部５とともに、処理部８と、表示部６と、操作部７とを有している。
【００１６】
表示部６は、指令信号通信部５が受信した接続応答信号を送信したエレベータを表示するものから成っている。この表示部６は、指令信号通信部５が受信した制御信号が示すエレベータの状態や、当該保守運転装置４の操作メッセージも表示する。
【００１７】
また、操作部７は、表示部６に表示されたエレベータのうちのいずれかを選択し、選択したエレベータの乗かごを指定した階床に到着させる到着階床設定処理を行うものから成っている。すなわち、この操作部７は、表示部６に表示されたエレベータ号機の選択操作、あるいはエレベータを呼び寄せる到着階床の入力操作を行う数字キー７ａ、当該保守運転装置４の電源の投入・遮断を行う電源スイッチ７ｄ、及び保守運転モード時に使用する上昇釦７ｂ、下降釦７ｃを備えている。なお、操作部７の電源スイッチ７ｄ以外の各種釦は、本実施形態に備えられる表示部６をタッチキー仕様にして、この表示部６の画面上に表示することもできる。
【００１８】
処理部８は、指令信号通信部５に、操作部７で選択したエレベータの制御装置１ａ，１ｂのうちの該当する制御信号通信部２ａ，２ｂに対して、操作部７で設定した到着階床に相応する到着階床設定信号を送信させる処理を行わせる。また、この処理部８は、操作部７で選択したエレベータが操作部７で設定した到着階床に到着後、保守運転に設定されたことを検出し、指令信号通信部５に、エレベータの制御装置１ａ，１ｂの制御信号通信部２ａ，２ｂに対して、保守運転走行指令を送信させる処理を行うものから成っている。
【００１９】
図２は、本実施形態における処理操作を含む図１に示すシステムの処理操作を示すフローチャートである。この図２を用いて、エレベータの保守点検作業に際して行われる本実施形態に係る保守運転装置４を含むシステムの処理操作について説明する。なお、同図２において、保守作業者の処理手順を処理番号にＳを付けて記載し、保守運転装置４の処理手順を処理番号にＴを付けて記載し、エレベータの制御装置１ａ，１ｂの処理手順を処理番号にＵを付けて記載してある。
【００２０】
最初に、保守作業者は、手順Ｓ１に示すように、エレベータの乗場（図示せず）にて、本実施形態に係る保守運転装置４の電源スイッチ７ｄを投入する。
【００２１】
このとき、手順Ｔ１において、保守運転装置４の処理部８は電源スイッチ７ｄの投入の有無を確認する。電源投入が無ければ（手順Ｔ１でＮＯ）、手順Ｔ１で電源スイッチ７ｄの投入を待つ。
【００２２】
手順Ｓ１の結果、保守運転装置４は電源スイッチ７ｄが投入され（手順Ｔ１でＹＥＳ）、手順Ｔ２において、処理部８は、指令信号通信部５に、制御装置１ａ，１ｂに対する接続開始信号を送信させる。
【００２３】
一方、手順Ｕ１において、制御装置１ａ，１ｂは、保守運転装置４からの接続開始信号の受信を待つ。接続開始信号の受信が無ければ（手順Ｕ１でＮＯ）、手順Ｕ１を繰り返し実施する。接続開始信号を受信した場合（手順Ｕ１でＹＥＳ）、手順Ｕ２において、制御装置１ａ，１ｂの制御信号通信部２ａ，２ｂは、接続応答信号を本実施形態に係る保守運転装置４に送信する。
【００２４】
制御装置１ａ，１ｂの制御信号通信部２ａ，２ｂからの接続応答信号を指令信号通信部５で受信した処理部８は、手順Ｔ３において、表示部６に接続応答信号を受信したエレベータ号機と号機選択のメッセージを表示する。
【００２５】
手順Ｓ２において、保守作業者は表示部６に表示されたエレベータ号機と号機選択のメッセージから、保守点検作業を実施するエレベータ号機と、該当するエレベータの乗かごを到着させたい階床を、操作部７の数字キー７ａによって入力する。
【００２６】
手順Ｔ４において、処理部８は、操作部７によって選択されたエレベータ号機に応じた選択号機信号と到着階床信号を、指令信号通信部５から対応するエレベータの制御装置１ａ，１ｂに送信させる。
【００２７】
手順Ｕ３において、制御装置１ａ，１ｂのうちの該当するものは、受信した選択号機信号が自号機の場合（手順Ｕ３でＹＥＳ）、手順Ｕ４に移り、乗かごを受信した到着階床に走行させる制御を行う。今例えば、選択号機は制御装置１ａによって制御されるエレベータであったとする。次に、手順Ｕ５に示すように、乗かごが到着階床に到着するまで（手順Ｕ５でＮＯ）、手順Ｕ４を繰り返し実施する。
【００２８】
乗かごが到着階床に到着すると（手順Ｕ５でＹＥＳ）、乗かごは停止し扉（図示せず）が開かれる。このとき、到着階床で待機していた保守作業者は、手順Ｓ３において、乗かごに乗り込み、保守運転スイッチを投入し、エレベータを保守運転モードに設定する。
【００２９】
手順Ｕ６において、制御装置１ａは、保守作業者による手順Ｓ３の保守運転スイッチの投入を待つ。保守運転スイッチが投入されない場合（手順Ｕ６でＮＯ）、手順Ｕ６を繰り返し実施する。保守運転スイッチが投入された場合（手順Ｕ６でＹＥＳ）、手順Ｓ７において、制御装置１ａはエレベータを保守運転モードに設定し、制御信号通信部２ａは保守運転設定信号を指令信号通信部５に送信する。
【００３０】
手順Ｔ５において、処理部８は、指令信号通信部５を介しての制御装置１ａからの手順Ｕ７の保守運転設定信号の受信を待つ。手順Ｕ７の保守運転設定信号の受信が無い場合（手順Ｔ５でＮＯ）、繰り返し手順Ｔ５を実施する。
【００３１】
手順Ｕ７の保守運転設定信号を受信すると（手順Ｔ５でＹＥＳ）、手順Ｔ６に移り、制御信号通信部２ａとの保守運転接続を確立し、解除されるまで制御信号通信部２ａとのみ通信を実施する。
【００３２】
次に、手順Ｔ７において、処理部８は、表示部６に保守運転中の旨を表示し、手順Ｓ４において、保守作業者は必要に応じて上昇釦７ｂ、下降釦７ｃを操作する。処理部８は、操作された上昇釦７ｂ、下降釦７ｃに応じて、手順Ｔ８において、上昇信号または下降信号を制御信号通信部２ａに送信する。手順Ｕ８において、制御信号通信部２ａは、受信した上昇信号または下降信号を運転制御部３ａに送信する。運転制御部３ａは、上昇信号または下降信号に対応した乗かごの保守走行を実施させる。
【００３３】
このように、手順Ｔ７、手順Ｓ４、手順Ｔ８、手順Ｕ８によって、乗かごを走行させ、エレベータにおける所望の保守点検作業を実施することができる。
【００３４】
保守点検作業が終了すると、手順Ｓ５において、保守作業者は乗かご内の保守運転スイッチを解除し、エレベータを通常運転モードに設定する。手順Ｕ９において、制御装置１ａは、保守運転スイッチが操作されて保守運転モードが解除されたかどうか確認する。保守運転モードが解除されない場合（手順Ｕ９でＮＯ）、繰り返し手順Ｕ８を実施する。
【００３５】
保守運転モードが解除された場合（手順Ｕ９でＹＥＳ）、手順Ｕ１０において、制御装置１ａは、保守運転装置４に通常運転設定信号を送信し、この制御装置１ａにおける処理は終了する。
【００３６】
手順Ｔ９で、制御装置１ａからの通常運転設定信号の受信を待つ本実施形態に係る保守運転装置４は、通常運転設定信号を受信しない場合（手順Ｔ９でＮＯ）、手順Ｔ７を繰り返し実施する。
【００３７】
制御装置１ａからの通常運転設定信号を受信した場合（手順Ｔ９でＹＥＳ）、制御装置１ａの制御信号通信部２ａとの保守運転接続を解除し、本実施形態に係る保守運転装置４における処理を終了する。
【００３８】
以上のように構成した本実施形態に係る保守運転装置４によれば、保守作業者に特別な操作や装置の持参を要求することなく、操作するエレベータ号機を無線接続することができ、エレベータの保守点検作業の能率を向上させることができる。
【符号の説明】
【００３９】
１ａ，１ｂ  制御装置
２ａ，２ｂ  制御信号通信部
３ａ，３ｂ  運転制御部
４    保守運転装置（本実施形態）
５    指令信号通信部
６    表示部
７    操作部
７ａ  数字キー
７ｂ  上昇釦
７ｃ  下降釦
７ｄ  電源スイッチ
８    処理部
【図１】
0006285844.tif 000002
【図２】
0006285844.tif 000003